(57)【要約】【課題】シート座面の高さを調整して高くした場合、シート高そのものが高い車種の場合、或いはフロア面が低くなっている場合であっても不都合なく使用することが可能な自動車用物品収納具を提供する。【解決手段】上部が開口したポケット状の収納具本体１２と、収納具本体１２をシートベルトのバックルＢに固定する固定用ベルト１４とを備える自動車用物品収納具１０において、収納具本体１２には、収納具本体１２の底辺よりも下方に突出する底上げ部材１６が取り付けられていることを特徴とする。【選択図】図４
2019167059.tif 000002
【特許請求の範囲】
【請求項１】
上部が開口したポケット状の収納具本体と、前記収納具本体をシートベルトのバックルに固定する固定用ベルトとを備える自動車用物品収納具において、
前記収納具本体には、前記収納具本体の底辺よりも下方に突出する底上げ部材が取り付けられていることを特徴とする自動車用物品収納具。
【請求項２】
前記底上げ部材が前記収納具本体に対して取付手段を介して着脱可能に取り付けられていることを特徴とする請求項１に記載の自動車用物品収納具。
【請求項３】
前記底上げ部材が前記収納具本体に対して取付手段を介して高さ方向或いは前後方向に位置調整可能に取り付けられていることを特徴とする請求項１に記載の自動車用収納具。
【発明の詳細な説明】
【技術分野】
【０００１】
本発明は、前部座席とセンターコンソールボックスとの間の狭く細長い隙間に取り付けて使用される、スマートフォン、タブレット端末或いは雑誌といった各種物品を収納するための自動車用物品収納具に関する。
【背景技術】
【０００２】
自動車の前部座席とセンターコンソールボックスとの間には、狭く細長い隙間（以下、「シート脇隙間」という。）が存在する。このシート脇隙間には、手元から滑り落ちた小銭や鍵或いは筆記具といった小物が入り込みやすく、シート脇隙間に入り込んだ小物を取り出すのは、大変な困難と労力を伴う作業である。
【０００３】
そこで、シート脇隙間に小物が入り込むのを防止することを目的として、さらには、車室内の収納空間をより多く確保することを目的として、特許文献１のような自動車用物品収納具（以下、単に「収納具」という。）をシート脇隙間に取り付けることが提案されている（特許文献１参照）。
【０００４】
従来の収納具は、上部が開口したポケット状の収納具本体と固定用ベルトとで大略構成されている。収納具本体は、その前後方向の長さおよび左右方向の幅がシート脇隙間に合わせて設定されており、上下方向の高さは、収納具本体に手を手首辺りまで入れたときに収納具本体の底部に指先が届くよう適宜設定されている。なお、一般的な車種では、収納具本体の上下方向の高さがフロア面からシート面までの高さとほぼ一致している。
【０００５】
収納具本体の後部座席側上部には、固定用ベルトが取り付けられている。固定用ベルトは細長帯状のもので、その一端が収納具本体の裏面側に縫着されており、他端が収納具本体の表面側にホックを介して着脱可能に取り付けられている。
【０００６】
従来の収納具を使用する際には、収納具本体をシート脇隙間に差し込むとともに、固定用ベルトをシートベルトのバックルに巻きつけて固定する。従来の収納具によれば、シート脇隙間が収納具によって覆われるため、手元から滑り落ちた小物が当該隙間に入り込むのを防止できる。また、車室内のデッドスペースとなっているシート脇隙間を収納空間として有効利用することができるので、雑誌や煙草或いはスマートフォンなど車の中で散らかりがちな物をシート脇にすっきりと収納できる。
【先行技術文献】
【特許文献】
【０００７】
【特許文献１】意匠登録第１５９５２２６号公報
【発明の概要】
【発明が解決しようとする課題】
【０００８】
従来の収納具は、上述したように、収納具本体の上下方向の高さがフロア面からシート面までの高さとほぼ一致している。したがって、収納具をシート脇隙間に取り付けた状態では、収納具本体の底辺全体がフロア面と当接することとなり、これにより収納具の水平状態が保たれる。
【０００９】
ところが、シート座面の高さを調整して高くした場合、シート高そのものが高い車種の場合、或いはフロア面が低くなっている場合（車種によってはフロア面が平坦ではなく、前方に向かって下り傾斜していたり、収納具本体との当接部分に凹所が設けられていることがある）には、以下のような問題が生じる。
【００１０】
すなわち、収納具の後端部は、固定用ベルトによってその位置がバックル近く（シート面近く）に固定されるが、前端部は、固定用ベルトのようなシートへの固定手段がなくフリーであるため、フロア面と当接するところまで自重で下がる。つまり、収納具は、バックルへの取付部分を支点として前端部がお辞儀をするような格好（前端部が下向きに傾いた状態）で前部座席に取り付けられることとなるため、収納具の水平状態が担保されず使い勝手が非常に悪くなるという問題があった。
【００１１】
本発明はかかる従来の問題に鑑みてなされたものであり、シート座面の高さを調整して高くした場合、シート高そのものが高い車種の場合、或いはフロア面が低くなっている場合であっても不都合なく使用することが可能な自動車用物品収納具を提供することにある。
【課題を解決するための手段】
【００１２】
請求項１に記載した発明は、「上部が開口したポケット状の収納具本体１２と、収納具本体１２をシートベルトのバックルＢに固定する固定用ベルト１４とを備える自動車用物品収納具１０において、収納具本体１２には、収納具本体１２の底辺よりも下方に突出する底上げ部材１６が取り付けられている」ことを特徴とする自動車用物品収納具１０である。
【００１３】
請求項２に記載した発明は、「底上げ部材１６が収納具本体１２に対して取付手段２０を介して着脱可能に取り付けられている」ことを特徴とする。
【００１４】
請求項３に記載した発明は、「底上げ部材１６が収納具本体１２に対して取付手段２０を介して高さ方向或いは前後方向に位置調整可能に取り付けられている」ことを特徴とする。
【発明の効果】
【００１５】
請求項１に記載の自動車用物品収納具によれば、収納具本体の底辺よりも下方に突出する底上げ部材が収納具本体に取り付けられているので、自動車用物品収納具をシート脇隙間に取り付けた時、収納具本体の底辺とフロア面との間に隙間が生じた場合であっても、当該隙間に底上げ部材が挟まることで収納具本体の水平状態が維持される。したがって、従来のように、バックルへの取付部分を支点として収納部本体の前端部がお辞儀をするような格好になることはなく、自動車用収納具を不都合なく使用することが可能となる。
【００１６】
また、請求項２に記載の発明のように、底上げ部材が収納具本体に対して着脱可能に取り付けられている場合には、底上げ部材を必要に応じて着脱することで、収納具本体の下端縁とフロア面との間に隙間が生じる車種と、隙間が生じない車種の両方の車種に対して一種類の自動車用収納具で対応することができるようになる。
【００１７】
さらに、請求項３に記載の発明のように、底上げ部材が収納具本体に対して取付手段を介して高さ方向或いは前後方向に位置調整可能に取り付けることができるように構成されておれば、収納具本体の下端縁とフロア面との間の隙間の大きさが異なる複数種類の車種に対して一種類の自動車用収納具で対応することが可能となる。
【図面の簡単な説明】
【００１８】
【図１】この発明の第１実施例の収納具を示す正面図である。
【図２】この発明の第１実施例の収納具を示す背面図である。
【図３】この発明の第１実施例の収納具を示す平面図である。
【図４】この発明の第１実施例の収納具を示す斜視図である。
【図５】収納具の使用状態を示す図である。
【図６】図５を側方から見た図である。
【図７】第２実施例の収納具を示す図である。
【図８】第２実施例の収納具の他の例を示す図である。
【発明を実施するための形態】
【００１９】
以下、本発明を図面に従って説明する。図１は、本発明にかかる第１実施例の自動車用物品収納具（以下、単に「収納具」という。）１０を示す正面図であり、図２はその背面図であり、図３はその平面図であり、図４はその斜視図である。これらの図が示すように、収納具１０は、収納具本体１２、固定用ベルト１４および底上げ部材１６により大略構成されている。
【００２０】
収納具本体１２は、上部が開口したポケット状のもので、本実施例では、土台部材１２ａと表面部材１２ｂとを、その両側辺および底辺において縫着することにより形成されている。
【００２１】
収納具本体１２の前後方向の長さｘおよび左右方向の幅ｙは、シート脇隙間Ａ（図５参照）の大きさに合わせて適宜設定されており、上下方向の高さｚは、収納具本体１２に手を手首辺りまで入れたときに収納具本体の底部に指先が届くような長さに設定されている。
【００２２】
収納具本体１２は、可撓性を有するシート状の素材により形成されており、その材質としては、布や革を使用することができる（本実施例では合成皮革が使用されている）。なお、本実施例では、土台部材１２ａの内部に芯材が挿入されており、これにより土台部材１２ａの保形性が高められている。
【００２３】
収納具本体１２の後端側（後部座席側）の上部には、固定用ベルト１４が取り付けられている。固定用ベルト１４は、収納具本体１２と同様、可撓性を有するシート状の素材からなる細長帯状のもので、その一端は、収納具本体１２の土台部材１２ａに縫着されており、他端側は、ホック１８を介して表面部材１２ｂに着脱可能に取り付けられている。
【００２４】
収納具本体１２の前端側（前部座席側）の下部には、収納具本体１２の底辺よりも下方に突出する底上げ部材１６が収納具本体１２と一体的に取り付けられている。
【００２５】
底上げ部材１６は、収納具１０を前部座席に取り付けたときに収納具本体１２の水平状態を保つためのもので、その下方への突出長さは、収納具１０をシート脇隙間Ａに取り付けたときに収納具本体１２が水平状態となるよう、収納具本体１２の底辺とフロア面Ｆとの間の隙間ｍを埋めるような高さに適宜設定される（図６参照）。
【００２６】
以上のように構成されている収納具１０を使用する際には、まず、収納具本体１２をシート脇隙間Ａに差し込むと共に、固定用ベルト１４のホック１８を外してバックルＢに巻きつけ、ホック１８を止めて固定する。これにより、収納具１０の前部座席Ｓへの取り付けが完了する（図５参照）。
【００２７】
ここで、従来技術でも述べたように、シート座面の高さを調整して高くした等の場合には、バックルＢへの取付部分を支点として収納具１０の前端部がお辞儀をするような格好となり、水平状態が担保されず使い勝手が非常に悪くなるという問題があったが、本実施例の収納具１０によれば、フロア面Ｆと収納具本体１２との間の隙間ｍが底上げ部材１６で埋められるので、収納具１０を水平状態を保った状態で前部座席Ｓに取り付けることができ、使い勝手が損なわれることがない。
【００２８】
上述実施例では、底上げ部材１６が収納具本体１２と一体的に形成されていたが、両部材をそれぞれ別部材として形成するとともに、取付手段２０を用いて底上げ部材１６を収納具本体１２に対して着脱可能に取り付けるようにしてもよい。
【００２９】
ここで、取付手段２０の具体例としては、ホック２２を用いる方法（図７参照）や面ファスナー２４を用いる方法（図８参照）が考えられる。
【００３０】
取付手段２０としてホック２２を用いる場合、本実施例においては、左右一対の雄側ホック２２ａが底上げ部材１６の上端部に取り付けられており、左右一対の雌側ホック２２ｂが収納具本体１２の後側下端部に取り付けられている（勿論、ホック２２の雌雄を逆にしてもよい）。
【００３１】
ホック２２の取付位置や取付個数は特に限定されるものではないが、図７の破線で示したように、ホック２２（２２ａ，２２ｂ）を上下に多段（図７では２段）設けるようにすれば、収納具本体１２に対する底上げ部材１６の高さ方向の取付位置を調整することが可能となる。また、ホック２２（２２ａ，２２ｂ）を前後に複数組設けるようにすれば、収納具本体１２に対する底上げ部材１６の前後方向の取付位置を調整することが可能となる。
【００３２】
一方、取付手段２０として面ファスナー２４を用いる場合、本実施例では、雄側面ファスナー２４ａが底上げ部材１６の上端部に取り付けられており、帯状の雌側面ファスナー２４ｂが収納具本体１２の下端部に取り付けられている。
【００３３】
面ファスナー２４を用いた場合も、ホック２２を用いた場合と同様、収納具本体１２に対する底上げ部材１６の高さ方向ならびに前後方向の取付位置を調整することが可能となる（面ファスナー２４を用いた場合の方が無段階的な調整が可能となるため、位置調整の自由度がより高められる）。
【００３４】
このように、底上げ部材１６が収納具本体１２に対して着脱可能に取り付けられている場合には、底上げ部材１６を必要に応じて着脱することで、収納具本体１２の底辺とフロア面Ｆとの間に隙間ｍが生じる車種と、隙間ｍが生じない車種の両方の車種に対して一種類の収納具１０で対応することができるようになる。
【００３５】
また、底上げ部材１６が収納具本体１２に対して取付手段２０を介して高さ方向或いは前後方向に位置調整可能に取り付けることができるように構成されておれば、収納具本体１２の底辺よりも下方に突出する底上げ部材１６の突出長さや前後の位置を適宜調整することが可能となるので、収納具本体１２の底辺とフロア面Ｆとの間の隙間ｍの位置や大きさが異なる複数種類の車種に対して一種類の収納具１０で対応することが可能となる。
【００３６】
なお、収納具１０は、上述したように固定用ベルト１４を介してバックルＢに固定されているので、前部座席Ｓを前後に移動させると収納具１０も前部座席Ｓと共に前後に移動する。このとき、フロア面Ｆの形状によっては、前部座席Ｓの移動の前後で、収納具本体１２の底辺とフロア面Ｆとの間の隙間ｍが大きくなったり、逆に小さくなることがある（もちろん、隙間ｍが出来たり、無くなったりすることもある）。
【００３７】
このような場合であっても、上述したように収納具本体１２と底上げ部材１６とが別体にて構成されており、且つ、底上げ部材１６が収納具本体１２に対して高さ方向或いは前後方向に位置調整可能に取り付けることができるように構成されておれば、同一車種においても、前部座席の位置調整に伴う隙間ｍの大きさの変化や、隙間ｍの有無の変化に対応することが可能となる。
【符号の説明】
【００３８】
１０：自動車用物品収納具、１２：収納具本体、１２ａ：土台部材、１２ｂ：表面部材、１４：固定用ベルト、１６：底上げ部材、１８：ホック、２０：取付手段、２２：ホック、２４：面ファスナー、Ａ：シート脇隙間、Ｂ：バックル、Ｆ：フロア面、Ｓ：前部座席、ｍ：収納具本体１２の底辺とフロア面Ｆとの間の隙間、ｘ：収納具本体１２の前後方向の長さ、ｙ：収納具本体１２の左右方向の幅、ｚ：収納具本体１２の上下方向の高さ
【図１】
2019167059.tif 000003
【図２】
2019167059.tif 000004
【図３】
2019167059.tif 000005
【図４】
2019167059.tif 000006
【図５】
2019167059.tif 000007
【図６】
2019167059.tif 000008
【図７】
2019167059.tif 000009
【図８】
2019167059.tif 000010